(57)【要約】【課題】機器接続用のターミナルブロックにおいて複数種類の端子を重ねて接続させる際に、後に取付ける方の端子が先に取付ける方の端子の内側に潜り込むのを防止することができる端子の接続構造を提供する。【解決手段】インバータコネクタ端子３０及びコンデンサバスバー端子２０のうちのナット１２Ａに先に侵入させる端子の先端部には、インバータターミナルブロック１０に向け内側に折曲された潜り込み防止部２２が形成されている。【選択図】図４
2011060670.tif 000002
【特許請求の範囲】
【請求項１】
ターミナルブロックに備わるブロック端子固定部群のうちの少なくとも一部のブロック端子固定部に、該ブロック端子固定部に向けて異なる方向から侵入させた２種の端子を積層させ、前記ブロック端子固定部と前記２種の端子とをボルトで一体に締結させて組付ける端子の接続構造であって、
前記２種の端子のうちの前記ブロック端子固定部に先に侵入させる端子の先端部には、前記ターミナルブロックに向け内側に折曲された潜り込み防止部が形成されている、
ことを特徴とする端子の接続構造。
【請求項２】
前記ターミナルブロックは、インバータ機器の筐体の一部のターミナルハウジングに内挿可能に取付けられたインバータターミナルブロックであり、
前記２種の端子は、インバータコネクタ用の端子及びコンデンサバスバー用の端子である、
ことを特徴とする請求項１に記載の端子の接続構造。
【請求項３】
前記潜り込み防止部は、先に侵入させる端子の先端部の中央若しくは一方側の端部に形成されている、
ことを特徴とする請求項１又は２に記載の端子の接続構造。
【発明の詳細な説明】
【技術分野】
【０００１】
本発明は、例えば電気自動車（ハイブリッドカーを含む）のモータ等の補機とＤＣ／ＡＣインバータ等のような各種機器どうしを電気的に接続することができる機器接続用コネクタに係り、特に各種の機器接続用のターミナルブロックにおいて異なる方向から侵入させた２種類の端子をまとめて一体に重ね合わせて接続を行うのに好適な端子の接続構造に関するものである。
【背景技術】
【０００２】
従来、バスバーの締結構造としては、たとえば特開２００４−２２７９２８号公報（特許文献１）、特開２０００−６７８３３号公報（特許文献２）、特開２００５−２２９７５５号公報（特許文献３）および特開平８−３２２１２５号公報（特許文献４）に開示されている。
【０００３】
即ち、例えば特許文献１には、図１１に示すように、バスバー１１０の一端１１０Ａは負の極柱１００に貫通されてこの極柱１００のネジ部１００Ａに螺合されるナット１０１により極柱１００に接続されると共に、このバスバー１１０の他端１１０Ｂには電源回路遮断器が接続される構造のものが記載されている。なお、同図において、符号１２０は合成樹脂製のホルダー、１２１はバスバー１１０をシールする肉厚で一対のバスバーシール部、１３０はリチウムイオン電池（二次電池）、１４０はサービスプラグ取付部を示す。
【先行技術文献】
【特許文献】
【０００４】
【特許文献１】特開２００４−２２７９２８号公報
【特許文献２】特開２０００−６７８３３号公報
【特許文献３】特開２００５−２２９７５５号公報
【特許文献４】特開平８−３２２１２５号公報
【発明の概要】
【発明が解決しようとする課題】
【０００５】
ところで、異なる方向から侵入させた２種類の端子をナットの上に積層してまとめて搭載し、ボルトによってこれらの端子を貫通させ一体に締結させて電気的な接続を図るような接続方法もある。この場合には、例えば最初の端子をナットなどの上に搭載させた後に、その端子の上に次の端子を搭載させて積層させる際に、後に取付ける方の端子の先端が前に搭載させた方の端子の内側（例えば、下側）に潜り込んでしまい、これらの端子をボルトとナットなどでスムースに締結できない、といった問題を生じる場合がある。
【０００６】
本発明は、上述した事情に鑑みてなされたものであり、その目的は、機器接続用のターミナルブロックにおいて複数種類の端子を積層して接続させる際に、後に取付ける方の端子が先に取付ける方の端子の内側に潜り込むのを防止することができる端子の接続構造を提供することにある。
【課題を解決するための手段】
【０００７】
前述した目的を達成するために、本発明に係る端子の接続構造は、下記（１）〜（３）を特徴としている。
（１）  ターミナルブロックに備わるブロック端子固定部群のうちの少なくとも一部のブロック端子固定部に、該ブロック端子固定部に向けて異なる方向から侵入させた２種の端子を積層させ、前記ブロック端子固定部と前記２種の端子とをボルトで一体に締結させて組付ける端子の接続構造であって、
前記２種の端子のうちの前記ブロック端子固定部に先に侵入させる端子の先端部には、前記ターミナルブロックに向け内側に折曲された潜り込み防止部が形成されている、
こと。
（２）  上記（１）の構成の端子の接続構造であって、
前記ターミナルブロックは、インバータ機器の筐体の一部のターミナルハウジングに内挿可能に取付けられたインバータターミナルブロックであり、
前記２種の端子は、インバータコネクタ用の端子及びコンデンサバスバー用の端子である、
こと。
（３）  上記（１）又は（２）の構成の端子の接続構造であって、
潜り込み防止部は、先に侵入させる端子の先端部の中央若しくは一方側の端部に形成されている、
こと。
【０００８】
上記（１）の構成の端子の接続構造によれば、先に装着させる方の端子の先端部に潜り込み防止部を設けているので、機器接続用のターミナルブロックにおいて複数種類の端子を積層して接続させる際に、後に取付ける方の端子が先に取付ける方の端子の内側に潜り込むのを防止することができる。
上記（２）の構成の端子の接続構造によれば、ブロック端子固定部においてコンデンサバスバー端子とインバータコネクタ端子とを積層する際に、先に装着させる方の端子の先端部に潜り込み防止部を設けているので、後から取付ける端子の先端が先に取付けた端子の内側に潜り込むのを防止できる。
上記（３）の構成の端子の接続構造によれば、潜り込み防止部を簡単な構造のもので形成できるので、後から取付ける端子の先端が先に取付けた端子の内側に潜り込むのを防止できる。
【発明の効果】
【０００９】
本発明の端子の接続構造は、２つの端子のうち、先にブロック端子固定部に取付ける方の端子の一部にターミナルブロックに向けて内側に折曲された潜り込み防止部を有するので、機器接続用のターミナルブロックにおいて複数種類の端子を重ねて接続させる際に、後に取付ける方の端子が先に取付ける方の端子の内側に潜り込むのを防止できる、という利点がある。
【００１０】
以上、本発明について簡潔に説明した。更に、以下に説明される発明を実施するための形態を添付の図面を参照して通読することにより、本発明の詳細は更に明確化されるであろう。
【図面の簡単な説明】
【００１１】
【図１】本発明の第１の実施形態に係る端子の接続構造が適用されたインバータターミナルブロック装置の分解斜視図である。
【図２】そのインバータターミナルブロック装置及びその周辺部分の要部を示す説明図である。
【図３】（Ａ）及び（Ｂ）は、それぞれ、本発明の第１の実施形態に係るインバータターミナルブロック装置に用いるコンデンサバスバー端子の要部平面図及びＩＩＩＢ−ＩＩＩＢ線矢視断面図である。
【図４】（Ａ）及び（Ｂ）は、それぞれ、本発明の第１の実施形態に係るインバータターミナルブロック装置の組み立て方法を示す説明図である。
【図５】本発明の第１の実施形態に係るインバータターミナルブロック装置の作用を示す説明図である。
【図６】本発明の第２の実施形態に係る端子の接続構造が適用されたインバータターミナルブロック装置の分解斜視図である。
【図７】（Ａ）及び（Ｂ）は、それぞれ、本発明の第２の実施形態に係るインバータターミナルブロック装置に用いるコンデンサバスバー端子の要部平面図及びＶＩＩＢ−ＶＩＩＢ線矢視断面図である。
【図８】（Ａ）及び（Ｂ）は、それぞれ、本発明の第２の実施形態に係るインバータターミナルブロック装置の組み立て方法を示す説明図である。
【図９】本発明の第２の実施形態に係るインバータターミナルブロック装置の作用を示す説明図である。
【図１０】（Ａ）は本発明の第１の実施形態に係るコンデンサバスバー端子の製造に用いる金属材料の大きさを示す説明図及び（Ｂ）は本発明の第２の実施形態に係るコンデンサバスバー端子の製造に用いる金属材料の大きさを示す説明図である。
【図１１】従来の端子の接続構造を示す要部斜視図である。
【発明を実施するための形態】
【００１２】
（第１の実施形態）
図１及び図２は、本発明の第１の実施形態に係る端子の接続構造が適用されたインバータターミナルブロック装置１を示すものであり、例えばハイブリッド車（或いは電気自動車）などのような自動車内部に設置されるこのインバータターミナルブロック装置１は、インバータターミナルブロック１０と、コンデンサバスバー端子２０と、インバータコネクタ端子３０と、電装機器などとの接続に用いられる接続用コネクタ端子（以下、「電装機器コネクタ端子」とよぶ）４０と、を備えている。
【００１３】
インバータターミナルブロック１０は、絶縁性の適宜のプラスチック樹脂などで形成されており、脚部１５を設けたブリッジ状の形状を有する本体１１と、本体の上面１１Ａにライン状に複数配設されたブロック端子固定部群１２と、本体の一側面１１Ｂに突設した端子取付部１３と、各組の電装機器コネクタ端子４０を囲設するよう本体の上面１１Ａから板状に上方に突設したカバー部１４と、を備えている。本実施形態のインバータターミナルブロック１０は、例えば図２に示すインバータの筐体の一部（以下、「ターミナルハウジング３Ａ」と呼ぶ）などに収容されることで、予め設定された所定位置に所定の高さで設置されており、脚部１５が図示外のボルトでターミナルハウジング３Ａに固設される。
【００１４】
ブロック端子固定部群１２は、正負で一対のものを２組設けたコンデンサバスバー端子２０と、これに対応して２組設けたインバータコネクタ端子３０と、をそれぞれ一体に積層させてボルトで締結させるために、４個のナット１２Ａを本体１１の上面１１Ａに備える。また、本実施形態では、図示外の一対の３相交流モータ（第１、第２モータ）の制御用端子及び図示外の一対のインバータ（第１、第２インバータ）の出力端子を集積させてそれぞれボルトで締結させるために、前述の４個のナットと同じライン状にさらに６個のナットを、本体１１の上面１１Ａに上面部分を残して埋設させる。
【００１５】
なお、上述の４個のナット１２Ａ及び６個のナット（なお、図１では、６個のナットの方は電装機器コネクタ端子４０Ａ、４０Ｂに隠れて見えない）は、インバータターミナルブロック１０を絶縁性の適宜のプラスチック樹脂で形成させる際に、インサート成型によって一体に固設させた状態で取付けてある。
【００１６】
端子取付部１３は、１組３個のものからなる２組の電装機器コネクタ端子４０を個別に１個ずつ分離絶縁させた状態で配置させるために、各組の電装機器コネクタ端子４０Ａ、４０Ｂの両端側のものを、それぞれ個別に挿入・装着させるものである。なお、本実施形態の端子取付部１３は、各絶縁性の適宜のプラスチック樹脂で形成させるインバータターミナルブロック１０と一体に形成されている。
【００１７】
コンデンサバスバー端子２０は、図示外の発電機で回生された電力を蓄電させるコンデンサ（図略）との電気的な接続を図るものであって、一端側がコンデンサの出力端子（図示略）に接続されている。また、このコンデンサバスバー端子２０は、ここから出力される大電流をインバータへ給電させるために、インバータターミナルブロック１０において、他端側がインバータコネクタ端子３０と接続されている。
【００１８】
また、コンデンサバスバー端子２０は、インバータコネクタ端子３０との具体的な接続態様については、以下のようになっている。
即ち、これらの端子どうしを上下に積層させるとともに、ブロック端子固定部群１２のナット１２Ａにこれらの端子を貫通するようにしてボルト１６を螺合させて一体に締結させるため、コンデンサバスバー端子２０は、インバータコネクタ端子３０と同様に、先端部にボルト１６が貫通する貫通孔２３を穿設している。なお、これら２端子（コンデンサバスバー端子２０とインバータコネクタ端子３０）の積層については、先にコンデンサバスバー端子２０の方をナット１２Ａの上に載置させてから、その上に、インバータコネクタ端子３０を積層させるようにする。
【００１９】
ブロック端子固定部群１２のナット１２Ａに先に取付ける方の端子であるコンデンサバスバー端子２０には、本実施形態の場合、図３に示すように、ターミナルブロック１０の本体１１に向けて内側（図１では下方）に折曲された潜り込み防止部を構成する舌片２２が先端中央部に形成されている。この舌片２２は、少なくとも、後述する隙間α（図５参照）以上の寸法ｄ１（但し、ｄ１＞α）で、コンデンサバスバー端子２０の上面２１から下方へ向けて滑らか（例えばＲ状など）に湾曲した形状（又は円弧状）で突出している。
【００２０】
インバータコネクタ端子３０は、図示外の１対の３相交流モータに対する駆動電流を生成する、図示外の一対のインバータの入力端子との接続を図るためのものであって、２個一対のものを２組設けた構成となっている。このインバータコネクタ端子３０には、先端部にボルト１６が貫通する貫通孔３１を穿設している。また、このインバータコネクタ端子３０には、半田等で電線（以下、「インバータ電線４」と呼ぶ）の一端部と接続された基端部に、図２に示すように電線保持部３２が形成されている。なお、このインバータ電線４の他端側は、図示外のインバータの入力端子に接続されている。
【００２１】
図示しないインバータは、図示外の１対の３相交流モータに対する駆動電流を生成するものであって、図２に示すインバータハウジング３に収容されており、このインバータハウジング３の壁面等には、ターミナルハウジング３Ａが一体に形成されている。
【００２２】
電装機器コネクタ端子４０は、インバータと三相交流モータとの間の接続を図るためのものであって、インバータターミナルブロック１０の本体１１の上面から一側面１１Ｂに沿い下方に向けて延びるように配置されている。本実施形態の電装機器コネクタ端子４０は、３本１組のものを２組、つまり第１インバータ及び第１三相交流モータの接続用の第１コネクタ端子４０Ａ、及び第２インバータ及び第２三相交流モータの接続用の第２コネクタ端子４０Ｂで構成されている。
【００２３】
各電装機器コネクタ端子４０は、細長い板状の導電性材料で形成されて中間部が略Ｓ字状（又は略ヘ字状）に折曲されており、一端部（図１では上端部）に３相交流モータの駆動制御端子に接続させるための端子部（以下、「モータ端子部」とよぶ）４１を設けているとともに、他端部（図１では下端部）にインバータの出力端子に接続させるための端子部（以下、「インバータ端子部」とよぶ）４２を設けている。
【００２４】
なお、モータ端子部４１及びインバータ端子部４２にも、コンデンサバスバー端子２０及びインバータコネクタ端子３０の場合と同様に、端部に図示外のボルトが貫通可能な貫通孔４１Ａ及び貫通孔４２Ａが穿設されている。
【００２５】
次に、本実施形態のインバータターミナルブロック装置１の組付け方法について説明する。特に、ここでは、インバータターミナルブロック１０の本体１１の上面１１Ａにおいて、コンデンサバスバー端子２０及びインバータコネクタ端子３０を積層させた状態で、ボルト１６で締結させて双方の端子を接続させるときの接続方法について詳しく説明する。
【００２６】
初めに、図４（Ａ）に示すように、コンデンサの出力端子に接続されているコンデンサバスバー端子２０をインバータターミナルブロック１０の本体１１の上面１１Ａに設けたナット１２Ａの上に正しく位置を合わせてセットする。つまり、コンデンサバスバー端子２０の貫通孔２３と、ナット１２Ａの孔とが一致するよう、コンデンサバスバー端子２０をナット１２Ａに向けて侵入させ、ナット１２Ａ上に積層させる。
【００２７】
次に、コンデンサバスバー端子２０の上に、正しく位置合わせした状態でインバータコネクタ端子３０を積層させる。つまり、先程と同様に、インバータコネクタ端子３０についても、その貫通孔３１がコンデンサバスバー端子２０の貫通孔２３及びナット１２Ａの孔と一致するよう、インバータコネクタ端子３０をナット１２Ａに向けて侵入させ、コンデンサバスバー端子２０上に積層させる。
【００２８】
このような状態で、インバータコネクタ端子３０の上からボルト１６を挿し込んでセットする。そして、ボルト１６の先を、インバータコネクタ端子３０及びコンデンサバスバー端子２０の順で、各貫通孔３１、２３を貫通するように挿入して、ナット１２Ａに螺合させる。
【００２９】
ここで、コンデンサバスバー端子２０は、図示外の車体の所定の場所に取付けてある筐体、即ちコンデンサハウジング２（図２参照）において、そこに収容される図示外のコンデンサの出力端子に、図示外の他端が接続されている。同様に、インバータターミナルブロック１０も、図示外の車体の所定の場所に取付けてある筐体、即ちインバータハウジング３において、その壁面等に一体に設けたターミナルハウジング３Ａに収容されている。
【００３０】
このような配置関係にあるコンデンサバスバー端子２０とターミナルハウジング３Ａに収容されたインバータターミナルブロック１０の本体上面１１Ａ（正確には、ナット１２Ａの上面）との間には、通常、図５に示すように公差の範囲内で隙間αが形成されている。
【００３１】
インバータターミナルブロック１０の本体上面１１Ａにて待ち受けているコンデンサバスバー端子２０に対して、インバータコネクタ端子３０をその先端３０Ａから差し込んで積層させる際に、その隙間αが殆どゼロに近い状態で無視できるものとする。その場合には、図４（Ｂ）に示すように、コンデンサバスバー端子２０の上に、インバータコネクタ端子３０が問題なく配置される。
【００３２】
一方、図５に示すように、インバータターミナルブロック１０の本体上面１１Ａとの間に、公差内の範囲で大きな隙間αが形成されていても、潜り込み防止部を構成する舌片２２が隙間αを上回る寸法で下方へ突出して形成されているので、インバータコネクタ端子３０の先端３０Ａは、コンデンサバスバー端子２０の下方へ潜り込むのを阻止できる。
【００３３】
即ち、インバータコネクタ端子３０をその先端３０Ａが舌片２２に突当たると、その舌片２２の滑らかな外面に案内されてコンデンサバスバー端子２０の上面２１に摺動しながら所定位置まで進入して、コンデンサバスバー端子２０の上面２１に積層され積層される。従って、インバータコネクタ端子３０がコンデンサバスバー端子２０の下側に潜り込んで、接続ミス等のトラブルが発生するを回避できる。
【００３４】
（第２の実施形態）
次に、本発明の第２の実施形態について図６乃至図１０を参照しながら詳細に説明する。なお、本実施形態において、第１の実施形態と同一部分には同一符号を付して重複説明を避ける。
本発明の端子の接続構造が適用されたインバータターミナルブロック装置５が、第１の実施形態に係るインバータターミナルブロック装置１と異なるのは、コンデンサバスバー端子５０の潜り込み防止部を構成する舌片５２が、図７に示すように、先端中央部ではなく先端の一方側の端部５４から突設されていることである。
【００３５】
次に、本実施形態の作用について説明する。
本実施形態でも、第１の実施形態の場合と同様、図８（Ａ）に示すように、コンデンサの出力端子に接続されているコンデンサバスバー端子５０をインバータターミナルブロック１０の本体１１の上面１１Ａに設けたナット１２Ａの上に正しく位置を合わせてセットする。
【００３６】
このときに、図８（Ａ）に示すように、インバータターミナルブロック１０の本体上面１１Ａとの間に隙間αが殆ど形成されていない場合、インバータターミナルブロック１０の本体上面１１Ａにて待ち受けているコンデンサバスバー端子５０に対して、インバータコネクタ端子３０をその先端３０Ａからスムースに差し込むことができる。これによって、同図（Ｂ）に示すように、コンデンサバスバー端子５０の上にインバータコネクタ端子３０を確実に積層させてから、ボルト１６をナット１２Ａに螺合させ一体に締結させることができる。
【００３７】
一方、図９に示すように、コンデンサバスバー端子５０とインバータターミナルブロック１０の本体上面１１Ａ（正確には、ナット１２Ａの上面）との間に、大きな隙間αが形成されているものとする。ここで、コンデンサバスバー端子５０の先端部には、潜り込み防止部を構成する舌片５２が隙間αを上回る寸法ｄ２（図７（Ｂ）参照）でコンデンサバスバー端子５０の上面５１から下方へ突出している。
【００３８】
従って、インバータコネクタ端子３０の先端３０Ａは、この舌片５２に突当たる。そして、インバータコネクタ端子３０の先端３０Ａは、その舌片５２に突当った後、コンデンサバスバー端子５０の上面５１に沿って案内されて行き、その上面５１に確実に積層される。従って、インバータコネクタ端子３０がコンデンサバスバー端子５０の下方へ潜り込むのを阻止できる。
【００３９】
また、インバータターミナルブロック装置５によれば、上記のような構成の舌片５２を備えたコンデンサバスバー端子５０を用いることにより、図１０に示すように、切り出す金属材料５０Ａでの短辺の長さ（図１０では縦の長さ）が、第１の実施形態の舌片２２を有するコンデンサバスバー端子２０を切り出す金属材料２０Ａでの短辺長さＳ１に比べて、長さβだけ小さい短辺長さＳ２で済む。これにより、縦方向の長さが小さな金属材料５０Ａでコンデンサバスバー端子５０が形成できる。
【００４０】
一方、金属材料２０Ａ及び金属材料５０Ａでの長辺方向（横方向）での長さについては、金属材料５０Ａから切り出して形成するコンデンサバスバー端子５０の方が、一方側の端部５４の傾斜が緩やかである。これにより、コンデンサバスバー端子５０は、その横方向の長さがコンデンサバスバー端子２０の横方向の長さより長くても、１つのコンデンサバスバー端子５０を形成するのに必要な長さＬ２は、１つのコンデンサバスバー端子２０を形成するのに必要な長さＬ１とほぼ同等（Ｌ１≒Ｌ２）であり、横方向での必要長さに実質的な差はない。
【００４１】
従って、本実施形態のコンデンサバスバー端子５０によれば、これを形成するのに必要な金属材料５０Ａの大きさが、第１の実施形態のコンデンサバスバー端子２０を形成するのに必要な金属材料２０Ａに比べて小さくて済むので、材料使用料が少なくて済む分、コストの削減が図れる。
【００４２】
なお、本発明は上述した実施形態に何ら限定されるものではなく、その要旨を逸脱しない範囲において種々の形態で実施し得るものである。
【符号の説明】
【００４３】
１、５    インバータターミナルブロック装置
２    コンデンサハウジング（筐体）
３    インバータハウジング（筐体）
３Ａ    ターミナルハウジング
４    インバータ電線
１０    インバータターミナルブロック（ターミナルブロック）
１１    本体
１１Ａ    上面
１１Ｂ    一側面
１２    ブロック端子固定部群
１２Ａ    ナット
１３    端子取付部
１４    カバー部
１５    脚部
１６    ボルト
２０    コンデンサバスバー端子
２０Ａ、５０Ａ    金属材料
２１    上面
２２、５２    舌片（潜り込み防止部）
２３、３１    貫通孔
３０    インバータコネクタ端子
３２    電線保持部
４０    電装機器コネクタ端子
４０Ａ    第１コネクタ端子
４０Ｂ    第２コネクタ端子
４１    モータ端子部
４２    インバータ端子部
５０    コンデンサバスバー端子
５４    一方側の端部
ｄ１、ｄ２    舌片（潜り込み防止部）の突出量
Ｌ１、Ｌ２    長辺方向の必要長さ
Ｓ１、Ｓ２    短辺方向の必要長さ
α    隙間
【図１】
2011060670.tif 000003
【図２】
2011060670.tif 000004
【図３】
2011060670.tif 000005
【図４】
2011060670.tif 000006
【図５】
2011060670.tif 000007
【図６】
2011060670.tif 000008
【図７】
2011060670.tif 000009
【図８】
2011060670.tif 000010
【図９】
2011060670.tif 000011
【図１０】
2011060670.tif 000012
【図１１】
2011060670.tif 000013